(57)【要約】    【課題】掃除動作に伴う消費カロリーを正しく計算して表示することのできる電気掃除機を提供すること。    【解決手段】ユーザによって、操作パネルに、性別、年齢、体重が入力されると（ステップＳ１でＹＥＳ）、その情報をもとに、Ｅａ値および変更係数が決定される（ステップＳ２）。そして、電源スイッチがオンされると、計時部が、そのオン時間の測定を開始する（ステップＳ３）。電源スイッチ８６がオフされて掃除動作が終了すると（ステップＳ４でＹＥＳ）、計時部１９により電源スイッチ８６がオンされていたオン時間が計算される（ステップＳ５）。そして、ユーザの体重、Ｅａ値、変更係数、オン時間から、消費カロリーが計算され（ステップＳ６）、その値が操作パネルに表示される（ステップＳ７）。これにより、正しい消費カロリーが表示される。【選択図】            図５
2006068324.tif 000002
【特許請求の範囲】
【請求項１】
掃除機を動作／停止させるためにオン／オフする電源スイッチと、
上記電源スイッチがオンしているオン時間を計時する計時手段と、
性別、年齢および体重を入力するための入力操作手段と、
上記入力操作手段から入力された性別、年齢および体重、ならびに上記計時手段により計時されたオン時間に基づいて、ユーザが掃除をすることで消費したカロリーを計算する消費カロリー計算手段と、
上記消費カロリー計算手段により計算された消費カロリーを表示する表示手段と、を有することを特徴とする電気掃除機。
【請求項２】
空気と共に塵埃を吸引するための吸引口と、
上記電源スイッチがオンしている間における上記吸引口の移動距離を検出する距離検出手段と、を有し、
上記消費カロリー計算手段は、上記距離検出手段の検出した移動距離に基づいて、上記オン時間を補正して消費カロリーを計算するものであることを特徴とする請求項１に記載の電気掃除機。
【請求項３】
上記吸引口には、ブラシが備えられ、
上記距離検出手段は、上記ブラシの移動距離を検出するものであることを特徴とする請求項２に記載の電気掃除機。
【請求項４】
上記電源スイッチがオンしている間における掃除機本体の移動距離を検出する距離検出手段を有し、
上記消費カロリー計算手段は、上記距離検出手段の検出した移動距離に基づいて、上記オン時間を補正して消費カロリーを計算するものであることを特徴とする請求項１に記載の電気掃除機。
【請求項５】
上記ブラシは、掃除機本体から供給される電流によって回転されるパワーブラシであり、
上記パワーブラシに供給される電流値を検出する電流値検出手段を有し、
上記消費カロリー計算手段は、上記電流値検出手段により検出される電流値に基づいて、上記消費カロリーを補正するものであることを特徴とする請求項３に記載の電気掃除機。
【請求項６】
空気と共に塵埃を吸引するための吸引口の種類を入力する種類入力手段を有し、
上記消費カロリー計算手段は、上記種類入力手段から入力されている吸引口の種類に応じて、消費カロリーを補正するものであることを特徴とする請求項１〜５のいずれかに記載の電気掃除機。
【請求項７】
上記種類入力手段は、上記吸引口がパワーブラシを備えた吸引口か、それ以外かを自動的に入力する入力手段を含むことを特徴とする請求項６に記載の電気掃除機。
【請求項８】
上記消費カロリー計算手段が計算した消費カロリーに関するデータを外部装置へ出力するためのインターフェースを有することを特徴とする請求項１〜７のいずれかに記載の電気掃除機。
【発明の詳細な説明】
【技術分野】
【０００１】
この発明は、電気掃除機に関する。
【背景技術】
【０００２】
通常、電気掃除機には、掃除機本体と、掃除機本体に接続され、床に貯められた塵埃を吸い込むことのできる吸込体とが備えられている。また、吸込体には、塵埃を吸い込むための吸引口が形成されている。そして、ユーザが、電気掃除機の電源をオンにして、吸込体を床面上に対して摺動させると、塵埃が吸込体の吸引口から吸い込まれる。このような電気掃除機が特許文献１に記載されている。
【特許文献１】特開２００４−４１５４０号公報
【発明の開示】
【発明が解決しようとする課題】
【０００３】
ところで、電気掃除機は、自立して自動的に掃除動作をするものではなく、ユーザが手に持って動かして掃除を行うものである。このため、ユーザは、電気掃除機を用いた掃除動作に伴ってカロリーを消費している。そして、たとえば、掃除機において、消費カロリーを計算して表示すれば、ユーザは、単に掃除という作業を行って部屋をきれいにしたという達成感のみならず、カロリー消費を伴う運動を行ったといった付随した満足感を覚えると思える。特に、ダイエットをしている者（女性）にとっては、好ましい付随機能が付加された掃除機になる。
【０００４】
この発明は、かかる背景のもとになされたものであり、掃除動作に伴う消費カロリーを正しく計算して表示することのできる電気掃除機を提供することを目的とする。
【課題を解決するための手段】
【０００５】
上記目的を達成するための請求項１に記載の発明は、掃除機（１）を動作／停止させるためにオン／オフする電源スイッチ（８６）と、上記電源スイッチがオンしているオン時間を計時する計時手段（１９）と、性別、年齢および体重を入力するための入力操作手段（８Ｂ）と、上記入力操作手段から入力された性別、年齢および体重、ならびに上記計時手段により計時されたオン時間に基づいて、ユーザが掃除をすることで消費したカロリーを計算する消費カロリー計算手段（１８）と、上記消費カロリー計算手段により計算された消費カロリーを表示する表示手段（８Ｂ）と、を有することを特徴とする電気掃除機である。
【０００６】
なお、括弧内の英数字は、後述の実施形態における対応構成要素などを表す。以下、この項において同じ。
この構成によれば、計算した消費カロリーを表示するので、ユーザに対して単に掃除という作業を行って部屋をきれいにしたという達成感のみならず、カロリー消費を伴う運動を行ったといった付随した満足感を与えることができる。
【０００７】
また、計時手段が計時する時間は、電源スイッチがオンしているオン時間であるので、電気掃除機が実際に動作されている時間が正確に計時されることになる。そして、その時間を用いて消費カロリーの計算を行うので、掃除動作に伴う消費カロリーを正しく計算することができる。
請求項２に記載の発明は、空気と共に塵埃を吸引するための吸引口（４Ａ）と、上記電源スイッチ（８６）がオンしている間における上記吸引口の移動距離を検出する距離検出手段（１２）と、を有し、上記消費カロリー計算手段は、上記距離検出手段の検出した移動距離に基づいて、上記オン時間を補正して消費カロリーを計算する（Ｔ８）ものであることを特徴とする請求項１に記載の電気掃除機（１）である。
【０００８】
この構成によれば、実際に吸引口が移動した距離に基づいてオン時間が補正されるので、そのオン時間を用いて消費カロリーをより正確に計算することができる。たとえば、電源スイッチはオンされているが、掃除動作が行われていない場合には、実際には、掃除動作によるカロリーの消費は行われていない。そこで、吸引口が移動した距離に基づいてオン時間を補正し、補正後のオン時間を消費カロリーの計算に用いることで、消費カロリーをより正確に計算することができる。
【０００９】
また、請求項３に記載の発明のように、上記吸引口（４Ａ）には、ブラシ（９）が備えられ、上記距離検出手段（１２）は、上記ブラシの移動距離を検出するものであることを特徴とする請求項２に記載の電気掃除機であってもよい。
請求項４に記載の発明は、上記電源スイッチ（８６）がオンしている間における掃除機本体（３）の移動距離を検出する距離検出手段を有し、上記消費カロリー計算手段（１８）は、上記距離検出手段の検出した移動距離に基づいて、上記オン時間を補正して消費カロリーを計算するものであることを特徴とする請求項１に記載の電気掃除機（１）である。
【００１０】
この構成によれば、実際に掃除機本体が移動した距離に基づいてオン時間が補正されるので、補正後のオン時間を用いて消費カロリーを計算することで、消費カロリーをより正確に計算できる。
請求項５に記載の発明は、上記ブラシ（９）は、掃除機本体（３）から供給される電流によって回転されるパワーブラシ（９）であり、上記パワーブラシに供給される電流値を検出する電流値検出手段（２０）を有し、上記消費カロリー計算手段（１８）は、上記電流値検出手段により検出される電流値に基づいて、上記消費カロリーを補正する（Ｕ８）ものであることを特徴とする請求項３に記載の電気掃除機である。
【００１１】
この構成によれば、パワーブラシに供給される電流値を検出し、その電流値に基づく負荷量、すなわち、パワーブラシを移動させる際の重さを考慮して消費カロリーを補正するので、より正確な消費カロリーを計算することができる。たとえば、掃除する床面がじゅうたんなどの場合に、パワーブラシを回転させながら掃除を行うと、パワーブラシに対して負荷がかかり、同時に掃除動作を行うユーザに対しても負荷がかかり、そのときにパワーブラシに供給される電流値が大きくなる。よって、パワーブラシの電流値が大きくなったときに、ユーザの消費カロリーも大きくなる。そして、その変化した電流値に基づいて消費カロリーを補正すれば、掃除を行う床面の違いに応じたより正確な消費カロリーを計算することができる。
【００１２】
なお、電気掃除機が、パワーブラシと電気的に接続されているブラシモータを備えている場合には、ブラシモータに供給される電流値を検出してもよい。
請求項６に記載の発明は、空気と共に塵埃を吸引するための吸引口（４Ａ）の種類を入力する種類入力手段（１５）を有し、上記消費カロリー計算手段（１８）は、上記種類入力手段から入力されている吸引口の種類に応じて、消費カロリーを補正する（Ｖ８）ものであることを特徴とする請求項１〜５のいずれかに記載の電気掃除機（１）である。
【００１３】
この構成によれば、吸引口の種類に基づいて消費カロリーが補正されるので、消費カロリーをより正確に計算できる。
たとえば、吸引口がノズルの吸引口であれば、ユーザは、ノズル部分を持ち上げて掃除をするため、消費カロリーが大きくなる。よって、消費カロリーを補正することで、その値を正確なものとすることができる。
【００１４】
また、請求項７に記載の発明のように、上記種類入力手段（１５）は、上記吸引口（４Ａ）がパワーブラシ（９）を備えた吸引口か、それ以外かを自動的に入力する入力手段（１５）を含むことを特徴とする請求項６に記載の電気掃除機（１）であってもよい。
請求項８に記載の発明は、上記消費カロリー計算手段（１８）が計算した消費カロリーに関するデータを外部装置へ出力するためのインターフェース（１６）を有することを特徴とする請求項１〜７のいずれかに記載の電気掃除機（１）である。
【００１５】
この構成によれば、計算された消費カロリーのデータをインターフェースを介してパソコンなどの外部装置へ出力することで、外部装置においてそのデータを利用することができる。
【発明を実施するための最良の形態】
【００１６】
以下では、この発明の実施の形態を、添付図面を参照して詳細に説明する。
図１は、この発明の一実施形態にかかる電気掃除機１の側面図であって、吸込体４の一部を断面図で示している。
電気掃除機１には、本体３と、床面Ｆに沿って移動される吸込体４と、本体３と吸込体４とを接続する接続ホース５とが備えられている。
【００１７】
本体３には、車輪６が回動可能に取り付けられており、車輪６を転動させることにより、本体３は床面Ｆに沿って移動可能とされている。また、本体３の内部には、電動送風機２と、電動送風機２と電気的に接続された本体モータ１１と、本体３内に流入した空気に含まれるごみを捕獲するフィルタ７が内蔵されている。
吸込体４には、ケーシング４１と、ケーシング４１に取り付けられた接続用ベント４２とが備えられている。
【００１８】
ケーシング４１の下面には、吸込口４Ａが形成されている。また、吸込口４Ａには、紙面と垂直方向に延びる略円柱形状のパワーブラシ９と、吸込口４Ａの移動距離を検出する移動距離検出センサ１２とが備えられている。
パワーブラシ９は、その周面に複数の羽が備えられており（図示せず）、軸心まわりに回動可能とされている。また、パワーブラシ９は、ケーシング４１内に内蔵されたブラシモータ１０と電気的に接続されており、ブラシモータ１０は、吸込体４と接続ホース５とが接続された状態において、本体３内の電源と電気的に接続されるようにされている(図示せず)。そして、ケーシング４１内のブラシモータ１０が駆動することにより、パワーブラシ９は軸心まわりに回転し、その周面の羽によって床面上の塵埃がかき上げられる。
【００１９】
接続用ベント４２は、略円筒形状の長手の部材であって、ケーシング４１に対して回動可能に取り付けられている。これにより、接続用ベント４２がケーシング４１に対して回動しながら、ケーシング４１が床面上を摺動することができる。
接続ホース５には、一端部が本体３に接続された可撓性を有する蛇腹状のホース５Ａと、一直線状に延びるほぼ可撓性を有しない部材であって、一端部が吸込体４の接続用ベント４２の先端に接続されているパイプ５Ｂとが備えられている。
【００２０】
また、ホース５Ａの他端部とパイプ５Ｂの他端部とは手元部８を介して接続されている。手元部８は、ユーザが掃除を行う際に把持するための把持部８Ａと、ユーザが掃除動作の際に種々の操作をするための操作パネル８Ｂとが備えられている。
図２は、操作パネル８Ｂの構成を詳しく示す図である。
操作パネル８Ｂには、ユーザの性別を入力して表示するための性別入力欄８１と、ユーザの年齢を入力して表示するための年齢入力欄８２と、ユーザの体重を入力して表示するための体重入力欄８３と、ユーザの掃除動作に伴う消費カロリーを表示するための消費カロリー表示欄８４と、ユーザが情報を入力する際に操作する入力キー８５と、電気掃除機１を動作／停止させるためにオン／オフする電源スイッチ８６とが備えられている。
【００２１】
性別入力欄８１は、２つの表示欄を含んでおり、一方に「男」と他方に「女」と択一的に表示され得る。
入力キー８５には、アップキー８５ａ、ダウンキー８５ｂ、上キー８５ｃ、下キー８５ｄおよび決定キー８５ｅが含まれている。そして、ユーザは、入力キー８５の各キーを操作することによって、ユーザの各情報を入力することができる。
【００２２】
また、電源スイッチ８６は、２段階にオン／オフすることができるようにされている。詳しくは、電気掃除機１の動作が停止した状態から、電源スイッチ８６が一段階オンされると、本体モータ１１が駆動されて電動送風機２が動作され、その状態から電源スイッチ８６がさらにオンされると、ブラシモータ１０が駆動されてパワーブラシ９が回転される(図１参照)。
【００２３】
図３は、電気掃除機１の電気的構成を示すブロック図である。
電気掃除機１には、本体モータ１１を制御する本体モータ制御回路１３と、ブラシモータ１０を制御するブラシモータ制御回路１４と、ブラシモータ制御回路１４から信号が入力される吸込体検出センサ１５と、外部装置にデータを出力するために用いられるインターフェース１６と、ブラシモータ１０に供給される電流値を検出する電流センサ２０と、電気掃除機１の各部を制御する制御部１７とが備えられている。
【００２４】
制御部１７には、入力された情報に基づいてユーザの消費カロリーを計算をする計算部１８と、電源スイッチ８６がオンされているオン時間を計時するための計時部１９とが備えられている。
ブラシモータ制御回路１４は、吸込体４が接続ホース５に接続されると、吸込体４に備えられたブラシモータ１０を制御するとともに吸込体検出センサ１５に信号を入力し、吸込体検出センサ１５は信号が入力されたことに応じて、さらに制御部１７に信号を入力する。よって、吸込体検出センサ１５は、吸込体４が接続ホース５に接続されているか否かを検出する。
【００２５】
さらに、制御部１７には、電源スイッチ８６、操作パネル８Ｂおよび移動距離検出センサ１２からの信号が入力されるようにされており、制御部１７は、これらの信号に基づいて、操作パネル８Ｂ、本体モータ制御回路１３、ブラシモータ制御回路１４およびインターフェース１６を制御する。
この実施形態では、計算部１８は、以下の計算式（以下では、式Ａとする。）に基づいて、ユーザの掃除動作に伴う消費カロリーを計算する。
【００２６】
消費カロリー（ｋｃａｌ）＝Ｅａ値×時間（分）×体重（ｋｇ）×変更係数・・・Ａ
ここで、式ＡにおけるＥａ値とは、消費カロリーを計算する際に性別により定まる定数であり、男性の場合には、０．０５と、女性の場合には、０．０４６と予め定められている。なお、このＥａ値は、平均的なユーザの体重１ｋｇあたりの１分間の掃除動作での消費カロリーを基準として定めている。また、時間は、電気掃除機１のオン時間であり、体重は、ユーザの体重である。
【００２７】
図４は、計算部１８に記憶されている変更係数のテーブルを示す図である。このテーブルに示すように、変更係数は、ユーザの性別および年齢によって定まる係数である。式Ａにおける変更係数はこのテーブルによって定められ、たとえば、３０才の男性であれば、変更係数は０．９５であり、４０才の女性であれば、変更係数は０．９１である。
図５は、ユーザの消費カロリーを計算する際における制御部１７の制御手順を示すフローチャートである。
【００２８】
まず、電気掃除機１が使用可能の状態にされると、ユーザによって、操作パネル８Ｂが操作されて、ユーザの各情報が入力される。
当初は、たとえば、性別入力欄８１の一方に「男」と点滅表示されており、ユーザにより、アップキー８５ａまたはダウンキー８５ｂが押されることで、性別が交互に点滅表示される。そして、ユーザは、自己の性別を選択して点滅表示させる。
【００２９】
次に、ユーザは、下キー８５ｄを押して年齢入力欄８２を選択する。この状態では、年齢入力欄８２は、たとえば、「０」と点滅表示されている。また、性別入力欄８１で点滅表示されていた性別は、点滅しない通常の状態で表示される。
そして、ユーザは、入力キー８５のアップキー８５ａまたはダウンキー８５ｂが押すことで、自己の年齢を点滅表示させる。
【００３０】
次いで、ユーザは、下キー８５ｄを押して体重入力欄８３を選択する。この状態では、体重入力欄８３は、たとえば、「０．０」と点滅表示されている。また、年齢入力欄８２で点滅表示されていた年齢は、点滅しない通常の状態で表示される。
体重入力欄８３では、０．５ｋｇきざみで体重の入力が可能とされており、ユーザは、入力キー８５のアップキー８５ａまたはダウンキー８５ｂを押すことで、自己の体重を点滅表示させる。
【００３１】
このとき、自己の各情報を修正する場合には、ユーザは、上キー８５ｃを押して修正したい情報欄を選択することで、その情報を修正することができる。
そして、自己の性別、年齢、体重を表示させたユーザによって、決定キー８５ｅが押されると、その情報の内容が入力される（ステップＳ１でＹＥＳ）。
そして、その情報をもとに、Ｅａ値および変更係数が決定される（ステップＳ２）。たとえば、ステップＳ１で性別が「男」と、年齢が「３３才」と入力されていれば、Ｅａ値が０．０５と変更係数が０．９５と決定される（図４参照）。
【００３２】
そして、ユーザにより、操作パネル８Ｂの電源スイッチ８６がオンされると、計時部１９が、電気掃除機１のオン時間の測定を開始するとともに（ステップＳ３）、本体モータ１１が駆動され、電動送風機２が動作される。そして、吸込口４Ａから吸込まれた空気は、接続ホース５を介して本体３内に流入し、その空気に含まれるごみがフィルタ７により捕獲される。
【００３３】
そして、電源スイッチ８６がオフされて掃除動作が終了すると（ステップＳ４でＹＥＳ）、計時部１９により電源スイッチ８６がオンされていたオン時間が計算される（ステップＳ５）。
そして、ステップＳ１で決定されたユーザの体重、ステップＳ２で決定されたＥａ値、変更係数、ステップＳ５で計算されたオン時間から、計算部１８において式Ａより消費カロリーが計算される（ステップＳ６）。
【００３４】
たとえば、体重６０ｋｇ、年齢３３才の男性により掃除が行われ、電気掃除機１のオン時間が１０分であれば、変更係数は図４より０．９５となるため、消費カロリーは式Ａより、０．０５×１０×６０×０．９５＝２８．５ｋｃａｌとなる。そして、その消費カロリーが操作パネル８Ｂの消費カロリー表示欄８４に表示される（ステップＳ７）。
また、電気掃除機１が、インターフェース１６を介してパソコンなどの外部装置に接続されている場合は、その消費カロリーが外部装置に出力される。
【００３５】
以上のように、計算した消費カロリーを消費カロリー表示欄８４に表示するので、ユーザに対して単に掃除という作業を行って部屋をきれいにしたという達成感のみならず、カロリー消費を伴う運動を行ったといった付随した満足感を与えることができる。
また、計時部１９が計時する時間は、電源スイッチ８６がオンしているオン時間であるので、電気掃除機１が実際に動作されている時間が正確に計時されることになる。そして、その時間を用いて消費カロリーの計算を行うので、掃除動作に伴う消費カロリーを正しく計算することができる。
【００３６】
また、インターフェース１６を介してパソコンなどの外部装置に計算した消費カロリーを出力すれば、外部装置において、たとえば、健康管理用のデータとしてそのデータを利用することができる。
また、電気掃除機１における消費カロリーの計算は以下のように行われてもよい。
図６は、この発明の第２の実施形態にかかる制御部１７の制御手順を示すフローチャートである。
【００３７】
この実施形態では、制御部１７の計算部１８は、以下の計算式（以下では、式Ｂとする。）に基づいて、ユーザの掃除動作に伴う消費カロリーを計算する。
消費カロリー（ｋｃａｌ）＝Ｅａ値×（時間（分）×（移動距離／基本移動距離））×体重（ｋｇ）×変更係数・・・Ｂ
ここで、式ＢにおけるＥａ値、時間、体重および変更係数は、上述の式Ａと同様のものである。そして、移動距離は、移動距離検出センサ１２が検出する吸込口４Ａの移動距離である。また、基本移動距離は、電気掃除機１のオン時間に応じて予め定められているものであり、たとえば、計算部１８に記憶されているテーブルなど（図示せず）により予め定められている。
【００３８】
式Ｂに着目すると、オン時間に、移動距離を基本移動距離でわった値がかけられている。すなわち、式Ｂにおいては、オン時間に対して補正がされ、その補正後のオン時間を用いて消費カロリーが計算されているといえる。
なお、ステップＴ１〜Ｔ３は、上述のＳ１〜Ｓ３と同様であるため、説明を省略する。
ステップＴ３で電気掃除機１のオン時間の測定が開始されると、移動距離検出センサ１２が吸引口４Ａの移動距離の測定を開始する（ステップＴ４）。
【００３９】
そして、電源スイッチ８６がオフされて掃除動作が終了すると（ステップＴ５でＹＥＳ）、計時部１９により電源スイッチ８６がオンされていたオン時間が計算され（ステップＴ６）、吸引口４Ａの移動距離が検出される（ステップＴ７）。
そして、ユーザの体重、Ｅａ値、変更係数、オン時間、移動距離、基本移動距離から、計算部１８において式Ｂより消費カロリーが計算される（ステップＴ８）。
【００４０】
たとえば、体重６０ｋｇ、年齢３３才の男性により掃除が行われ、電気掃除機１のオン時間が１０分であれば、変更係数は図４より０．９５となる。また、移動距離検出センサ１２が検出した移動距離が３０メートルであり、基本移動距離がオン時間から４０メートル（たとえば、１分当たりの基本移動距離が４メートルであれば、オン時間１０分から、４×１０＝４０メートルと計算される。）と定められれば、消費カロリーは式Ｂより、０．０５×（１０×（３０／４０））×６０×０．９５＝２１．３７５ｋｃａｌとなる。そして、その消費カロリーが操作パネル８Ｂの消費カロリー表示欄８４に表示される（ステップＴ９）。
【００４１】
なお、移動距離検出センサ１２は、吸引口４Ａの移動距離を検出したが、パワーブラシ９の移動距離を検出するものであってもよい。また、移動距離検出センサ１２が本体２に備えられ、本体２の移動距離を検出するものであってもよい。
以上のように、実際に吸引口４Ａまたは本体２が移動した距離に基づいてオン時間が補正され、そのオン時間を用いることで、消費カロリーをより正確に計算することができる。
【００４２】
図７は、この発明の第３の実施形態にかかる制御部１７の制御手順を示すフローチャートである。
この実施形態では、制御部１７の計算部１８は、以下の計算式（以下では、式Ｃとする。）に基づいて、ユーザの掃除動作に伴う消費カロリーを計算する。
消費カロリー（ｋｃａｌ）＝Ｅａ値×（時間（分）×（平均電流／基本電流））×体重（ｋｇ）×変更係数・・・Ｃ
ここで、式ＣにおけるＥａ値、時間、体重および変更係数は、上述の式Ａと同様のものである。そして、平均電流は、電流センサ２０が検出した掃除動作中のブラシモータ１０に供給される電流値の平均である。また、基本電流は、たとえば、通常、ブラシモータ１０に供給される電流値であり、予め定められている。
【００４３】
式Ｃに着目すると、オン時間に、平均電流を基本電流でわった値がかけられている。すなわち、式Ｃにおいては、オン時間に対して補正がされ、その補正後のオン時間を用いて消費カロリーが計算されているといえる。
なお、ステップＵ１〜Ｕ３は、上述のＳ１〜Ｓ３と同様であるため、説明を省略する。
ステップＵ３で電気掃除機１のオン時間の測定が開始されると、電流センサ１２がブラシモータ１０に供給される電流値を検出する（ステップＵ４）。
【００４４】
電流センサ１２による電流値の検出は、電源スイッチ８６がオフされるまで繰り返され（ステップＵ４→Ｕ５でＮＯ→Ｕ４の繰り返し）、検出した電流値が記憶される。
そして、電源スイッチ８６がオフされて掃除動作が終了すると（ステップＵ５でＹＥＳ）、計時部１９により電源スイッチ８６がオンされていたオン時間が計算され（ステップＵ６）、記憶されていた電流値の平均が計算される（ステップＵ７）。
【００４５】
そして、ユーザの体重、Ｅａ値、変更係数、オン時間、平均電流、基本電流から、計算部１８において式Ｃより消費カロリーが計算される（ステップＵ８）。
たとえば、体重６０ｋｇ、年齢３３才の男性により掃除が行われ、電気掃除機１のオン時間が１０分であれば、変更係数は図４より０．９５となる。また、平均電流が１２Ａであり、基本電流１０Ａであれば、消費カロリーは式Ｃより、０．０５×（１０×（１２／１０））×６０×０．９５＝３４．２ｋｃａｌとなる。そして、その消費カロリーが操作パネル８Ｂの消費カロリー表示欄８４に表示される（ステップＵ９）。
【００４６】
以上のように、電流センサ２０により検出される電流値に基づいて消費カロリーが計算されるので、より正確な消費カロリーを計算することができる。
図８は、この発明の第４の実施形態にかかる制御部１７の制御手順を示すフローチャートである。
この実施形態では、制御部１７の計算部１８は、以下の計算式（以下では、式Ｄとする。）に基づいて、ユーザの掃除動作に伴う消費カロリーを計算する。
【００４７】
消費カロリー（ｋｃａｌ）＝（（Ｅａ１×時間１（分））＋（Ｅａ２×時間２（分）））×体重（ｋｇ）×変更係数・・・Ｄ
ここで、式Ｄにおける体重および変更係数は、上述の式Ａと同様のものである。そして、時間１は、吸込体検出センサ１５が、接続ホース５に吸込体４が接続されていることを検出したときの電気掃除機１のオン時間である。また、Ｅａ１は、そのときに用いられる定数であり、０．０５とされている。時間２は、吸込体検出センサ１５が、接続ホース５に吸込体４が接続されていないことを検出したときの電気掃除機１のオン時間である。また、Ｅａ２は、そのときに用いられる定数であり、０．０７とされている。
【００４８】
なお、ステップＶ１は、上述のＳ１と同様であるため、説明を省略する。
ステップＶ１で入力された情報をもとに、変更係数が決定される（ステップＶ２）。そして、ユーザにより、操作パネル８Ｂの電源スイッチ８６がオンされると、計時部１９が、電気掃除機１のオン時間の測定を開始する（ステップＶ３）。また、吸込体検出センサ１５が、接続ホース５に吸込体４が接続されているか否かを検出し、吸込体４が接続されていることを検出した場合には（ステップＶ４でＹＥＳ）、そのときの時間が時間１として計時される（ステップＶ５）。そして、掃除動作が終了するまで、吸込体検出センサ１５による検出が続けられる（ステップＶ６でＮＯ→Ｖ４の繰り返し）。このとき、接続ホース５に吸込体４が接続されていないことが検出された場合には、そのときの時間が時間２として計時される（ステップＶ４でＮＯ→Ｖ７）。
【００４９】
そして、電源スイッチ８６がオフされて掃除動作が終了すると（ステップＶ６でＹＥＳ）、計時部１９により、時間１の総合時間と時間２の総合時間が計算される（ステップＶ８）。
そして、ユーザの体重、変更係数、時間１の総合時間および時間２の総合時間、Ｅａ１およびＥａ２から、計算部１８において式Ｄより消費カロリーが計算される（ステップＶ９）。
【００５０】
たとえば、体重６０ｋｇ、年齢３３才の男性により掃除が行われると、変更係数は図４より０．９５となる。また、時間１が１０分であり、時間２が５分であれば、消費カロリーは式Ｃより、（（０．０５×１０）＋（０．０７×５））×６０×０．９５＝４８．４５ｋｃａｌとなる。そして、その消費カロリーが操作パネル８Ｂの消費カロリー表示欄８４に表示される（ステップＶ１０）。
【００５１】
以上のように、吸込体４が接続ホース５に接続されているか否かに基づいて消費カロリーが計算される。すなわち、接続ホース５に吸込体４が接続されていなければ、たとえば、接続ホース５にノズル（図示せず）が接続されており、ユーザは、ノズルを持ち上げて掃除をするため、消費カロリーが大きくなる。よって、吸込体４が接続ホース５に接続されているか否かに応じて消費カロリーを計算することで、その値をより正確なものとすることができる。
【００５２】
この発明は、以上説明した実施形態に限定されるものではなく、請求項記載の範囲内において種々の変更が可能である。
たとえば、上述の説明では、吸込口４Ａの移動距離が検出される場合、ブラシモータ１０に供給される電流値が検出される場合、および接続ホース５に接続されている装置が検出される場合は、それぞれ別個のものとして説明したが、これらが同時に行われて消費カロリーの計算が行われてもよい。
【００５３】
また、消費カロリーを求める計算式の内容は、上述のものに限らず、種々の変更が可能である。
【図面の簡単な説明】
【００５４】
【図１】この発明の一実施形態にかかる電気掃除機の側面図である。
【図２】操作パネルの構成を詳しく示す図である。
【図３】電気掃除機の電気的構成を示すブロック図である。
【図４】計算部に記憶されている変更係数のテーブルを示す図である。
【図５】ユーザの消費カロリーを計算する際における制御部の制御手順を示すフローチャートである。
【図６】この発明の第２の実施形態にかかる制御部の制御手順を示すフローチャートである。
【図７】この発明の第３の実施形態にかかる制御部の制御手順を示すフローチャートである。
【図８】この発明の第４の実施形態にかかる制御部の制御手順を示すフローチャートである。
【符号の説明】
【００５５】
１      電気掃除機
３      本体
４Ａ    吸込口
８Ｂ    操作パネル
９      パワーブラシ
１２    移動距離検出センサ
１５    吸込体検出センサ
１６    インターフェース
１８    計算部
１９    計時部
２０    電流センサ
８６    電源スイッチ
【図１】
2006068324.tif 000003
【図２】
2006068324.tif 000004
【図３】
2006068324.tif 000005
【図４】
2006068324.tif 000006
【図５】
2006068324.tif 000007
【図６】
2006068324.tif 000008
【図７】
2006068324.tif 000009
【図８】
2006068324.tif 000010